(57)【要約】【課題】適切なプロファイルデータを画像表示装置に容易に設定することができる技術を提供する。【解決手段】本発明の情報処理装置は、ユーザを示すユーザ情報を含む１つ以上の第１情報に対応付けられているプロファイルデータを１つ以上示し、且つ、表示対象の画像データである対象画像データに対応付けられている、プルーフ情報を取得する第１取得手段と、前記対象画像データを表示する画像表示装置である使用表示装置の現在のユーザを示す現ユーザ情報を含む１つ以上の第２情報を取得する第２取得手段と、前記１つ以上の第２情報と同じ１つ以上の第１情報が対応付けられているプロファイルデータである対応プロファイルデータが前記プルーフ情報で示されている場合に、前記対応プロファイルデータを前記使用表示装置に設定する設定手段と、を有する。【選択図】図１
2016139084.tif 000002
【特許請求の範囲】
【請求項１】
設定されているプロファイルデータを用いて表示特性を変更する画像表示装置と共に使用される情報処理装置であって、
ユーザを示すユーザ情報を含む１つ以上の第１情報に対応付けられているプロファイルデータを１つ以上示し、且つ、表示対象の画像データである対象画像データに対応付けられている、プルーフ情報を取得する第１取得手段と、
前記対象画像データを表示する画像表示装置である使用表示装置の現在のユーザを示す現ユーザ情報を含む１つ以上の第２情報を取得する第２取得手段と、
前記１つ以上の第２情報と同じ１つ以上の第１情報が対応付けられているプロファイルデータである対応プロファイルデータが前記プルーフ情報で示されている場合に、前記対応プロファイルデータを前記使用表示装置に設定する設定手段と、
を有することを特徴とする情報処理装置。
【請求項２】
前記プルーフ情報が示す前記プロファイルデータに対応付けられている前記１つ以上の第１情報は、画像表示装置を示すモニター情報をさらに含み、
前記１つ以上の第２情報は、前記使用表示装置を示す使用モニター情報をさらに含む
ことを特徴とする請求項１に記載の情報処理装置。
【請求項３】
前記プルーフ情報が示す前記プロファイルデータに対応付けられている前記１つ以上の第１情報は、画像表示装置の校正状態を示す校正状態情報をさらに含み、
前記１つ以上の第２情報は、前記使用表示装置の現在の校正状態を示す現校正状態情報をさらに含む
ことを特徴とする請求項１または２に記載の情報処理装置。
【請求項４】
前記プロファイルデータは、前記プロファイルデータが設定されていない状態での画像表示装置の表示特性を考慮して生成されたデータであり、
前記プルーフ情報が示す前記プロファイルデータには、前記１つ以上の第１情報の他に、そのプロファイルデータの生成日時よりも前の、当該プロファイルデータを生成する際に考慮された画像表示装置の校正日時を示す校正日時情報がさらに対応付けられており、
前記設定手段は、前記対応プロファイルデータに対応付けられている校正日時から現在時刻までの時間が第１閾値よりも長い場合には、前記対応プロファイルデータを前記使用表示装置に設定する処理を省略する
ことを特徴とする請求項１〜３のいずれか１項に記載の情報処理装置。
【請求項５】
前記プルーフ情報が示す前記プロファイルデータには、前記１つ以上の第１情報の他に、そのプロファイルデータの生成日時を示す生成日時情報がさらに対応付けられており、
前記設定手段は、前記対応プロファイルデータに対応付けられている生成日時から現在時刻までの時間が第２閾値よりも長い場合には、前記対応プロファイルデータを前記使用表示装置に設定する処理を省略する
ことを特徴とする請求項１〜４のいずれか１項に記載の情報処理装置。
【請求項６】
前記プロファイルデータは、前記プロファイルデータが設定されていない状態での画像表示装置の表示特性を考慮して生成されたデータであり、
前記プルーフ情報が示す前記プロファイルデータには、前記１つ以上の第１情報の他に、現在時刻よりも前の、そのプロファイルデータを生成する際に考慮された画像表示装置に対する当該プロファイルデータの設定日時を示す設定日時情報がさらに対応付けられており、
前記設定手段は、前記対応プロファイルデータに対応付けられている設定日時から現在時刻までの時間が第３閾値よりも長い場合には、前記対応プロファイルデータを前記使用
表示装置に設定する処理を省略する
ことを特徴とする請求項１〜５のいずれか１項に記載の情報処理装置。
【請求項７】
前記プルーフ情報が示す前記プロファイルデータには、前記１つ以上の第１情報の他に、そのプロファイルデータの優先度を示す優先度情報がさらに対応付けられており、
前記設定手段は、
前記第２取得手段で複数の現ユーザ情報が取得された場合に、前記１つ以上の第２情報が含む前記現ユーザ情報として前記複数の現ユーザ情報のそれぞれを用いて、前記プルーフ情報が示す前記プロファイルデータから、前記対応プロファイルデータを検出し、
複数の対応プロファイルデータが前記プルーフ情報で示されている場合に、前記複数の対応プロファイルデータのうち、対応付けられている優先度が最も高い対応プロファイルデータを前記使用表示装置に設定する
ことを特徴とする請求項１〜６のいずれか１項に記載の情報処理装置。
【請求項８】
前記プロファイルデータは、画像表示装置に対する外光を考慮して生成されたデータであり、
前記プルーフ情報が示す前記プロファイルデータには、前記１つ以上の第１情報の他に、そのプロファイルデータを生成する際に考慮された外光を示す外光情報がさらに対応付けられており、
前記情報処理装置は、前記使用表示装置に対する現在の外光を示す現外光情報を取得する第３取得手段をさらに有し、
前記設定手段は、前記対応プロファイルデータに対応付けられている外光が前記使用表示装置に対する現在の外光と異なる場合に、前記対応プロファイルデータに対応付けられている外光と、前記使用表示装置に対する現在の外光と、の差に基づいて前記対応プロファイルデータを補正した補正プロファイルデータを前記使用表示装置に設定する
ことを特徴とする請求項１〜７のいずれか１項に記載の情報処理装置。
【請求項９】
前記補正プロファイルデータは、前記対応プロファイルデータに対応付けられている外光の値を前記使用表示装置に対する現在の外光の値に変換する変換パラメータを用いて前記対応プロファイルデータの値を変換したプロファイルデータである
ことを特徴とする請求項８に記載の情報処理装置。
【請求項１０】
設定されているプロファイルデータを用いて表示特性を変更する画像表示装置と共に使用される情報処理装置の制御方法であって、
ユーザを示すユーザ情報を含む１つ以上の第１情報に対応付けられているプロファイルデータを１つ以上示し、且つ、表示対象の画像データである対象画像データに対応付けられている、プルーフ情報を取得する第１取得ステップと、
前記対象画像データを表示する画像表示装置である使用表示装置の現在のユーザを示す現ユーザ情報を含む１つ以上の第２情報を取得する第２取得ステップと、
前記１つ以上の第２情報と同じ１つ以上の第１情報が対応付けられているプロファイルデータである対応プロファイルデータが前記プルーフ情報で示されている場合に、前記対応プロファイルデータを前記使用表示装置に設定する設定ステップと、
を有することを特徴とする情報処理装置の制御方法。
【請求項１１】
前記プルーフ情報が示す前記プロファイルデータに対応付けられている前記１つ以上の第１情報は、画像表示装置を示すモニター情報をさらに含み、
前記１つ以上の第２情報は、前記使用表示装置を示す使用モニター情報をさらに含む
ことを特徴とする請求項１０に記載の情報処理装置の制御方法。
【請求項１２】
前記プルーフ情報が示す前記プロファイルデータに対応付けられている前記１つ以上の
第１情報は、画像表示装置の校正状態を示す校正状態情報をさらに含み、
前記１つ以上の第２情報は、前記使用表示装置の現在の校正状態を示す現校正状態情報をさらに含む
ことを特徴とする請求項１０または１１に記載の情報処理装置の制御方法。
【請求項１３】
前記プロファイルデータは、前記プロファイルデータが設定されていない状態での画像表示装置の表示特性を考慮して生成されたデータであり、
前記プルーフ情報が示す前記プロファイルデータには、前記１つ以上の第１情報の他に、そのプロファイルデータの生成日時よりも前の、当該プロファイルデータを生成する際に考慮された画像表示装置の校正日時を示す校正日時情報がさらに対応付けられており、
前記設定ステップでは、前記対応プロファイルデータに対応付けられている校正日時から現在時刻までの時間が第１閾値よりも長い場合には、前記対応プロファイルデータを前記使用表示装置に設定する処理を省略する
ことを特徴とする請求項１０〜１２のいずれか１項に記載の情報処理装置の制御方法。
【請求項１４】
前記プルーフ情報が示す前記プロファイルデータには、前記１つ以上の第１情報の他に、そのプロファイルデータの生成日時を示す生成日時情報がさらに対応付けられており、
前記設定ステップでは、前記対応プロファイルデータに対応付けられている生成日時から現在時刻までの時間が第２閾値よりも長い場合には、前記対応プロファイルデータを前記使用表示装置に設定する処理を省略する
ことを特徴とする請求項１０〜１３のいずれか１項に記載の情報処理装置の制御方法。
【請求項１５】
前記プロファイルデータは、前記プロファイルデータが設定されていない状態での画像表示装置の表示特性を考慮して生成されたデータであり、
前記プルーフ情報が示す前記プロファイルデータには、前記１つ以上の第１情報の他に、現在時刻よりも前の、そのプロファイルデータを生成する際に考慮された画像表示装置に対する当該プロファイルデータの設定日時を示す設定日時情報がさらに対応付けられており、
前記設定ステップでは、前記対応プロファイルデータに対応付けられている設定日時から現在時刻までの時間が第３閾値よりも長い場合には、前記対応プロファイルデータを前記使用表示装置に設定する処理を省略する
ことを特徴とする請求項１０〜１４のいずれか１項に記載の情報処理装置の制御方法。
【請求項１６】
前記プルーフ情報が示す前記プロファイルデータには、前記１つ以上の第１情報の他に、そのプロファイルデータの優先度を示す優先度情報がさらに対応付けられており、
前記設定ステップでは、
前記第２取得ステップで複数の現ユーザ情報が取得された場合に、前記１つ以上の第２情報が含む前記現ユーザ情報として前記複数の現ユーザ情報のそれぞれを用いて、前記プルーフ情報が示す前記プロファイルデータから、前記対応プロファイルデータを検出し、
複数の対応プロファイルデータが前記プルーフ情報で示されている場合に、前記複数の対応プロファイルデータのうち、対応付けられている優先度が最も高い対応プロファイルデータを前記使用表示装置に設定する
ことを特徴とする請求項１０〜１５のいずれか１項に記載の情報処理装置の制御方法。
【請求項１７】
前記プロファイルデータは、画像表示装置に対する外光を考慮して生成されたデータであり、
前記プルーフ情報が示す前記プロファイルデータには、前記１つ以上の第１情報の他に、そのプロファイルデータを生成する際に考慮された外光を示す外光情報がさらに対応付けられており、
前記情報処理装置は、前記使用表示装置に対する現在の外光を示す現外光情報を取得する第３取得ステップをさらに有し、
前記設定ステップでは、前記対応プロファイルデータに対応付けられている外光が前記使用表示装置に対する現在の外光と異なる場合に、前記対応プロファイルデータに対応付けられている外光と、前記使用表示装置に対する現在の外光と、の差に基づいて前記対応プロファイルデータを補正した補正プロファイルデータを前記使用表示装置に設定する
ことを特徴とする請求項１０〜１６のいずれか１項に記載の情報処理装置の制御方法。
【請求項１８】
前記補正プロファイルデータは、前記対応プロファイルデータに対応付けられている外光の値を前記使用表示装置に対する現在の外光の値に変換する変換パラメータを用いて前記対応プロファイルデータの値を変換したプロファイルデータである
ことを特徴とする請求項１７に記載の情報処理装置の制御方法。
【請求項１９】
請求項１０〜１８のいずれか１項に記載の情報処理装置の制御方法の各ステップをコンピュータに実行させることを特徴とするプログラム。
【発明の詳細な説明】
【技術分野】
【０００１】
本発明は、情報処理装置及びその制御方法に関する。
【背景技術】
【０００２】
一般的に、印刷物の最終的な色は、最終的な印刷物の作成（印刷）を始める前に、“プルーフ工程”と呼ばれる工程で決定される。“最終的な印刷物”は、例えば、販売用の印刷物、配布用の印刷物、展示用の印刷物、等である。プルーフ工程では、印刷会社社員と印刷依頼主とが、印刷物のサンプルを目視で確認し、サンプルの色を印刷物の最終的な色として承認することで、印刷物の最終的な色が決定される。また、色が承認されたサンプル（承認サンプル）は保管され、最終的な印刷物の色が承認サンプルの色と一致しているかの確認（最終的な印刷物と承認サンプルの比較）に使用される。
【０００３】
また近年、プルーフ工程において、印刷物のサンプルの代わりに画像データを用いて、画像表示装置（モニター）に表示された画像データを確認するモニタープルーフが行われている。画像データを用いることにより、印刷会社社員と印刷依頼主とが互いに離れた場所で色の確認を行うことができるため、印刷物の最終的な色を効率的に決定することができる。
【０００４】
画像表示装置では、ユーザ間の視覚特性の違いにより、ユーザ間の知覚色の差が生じることがある。特に、ＬＥＤ（Ｌｉｇｈｔ  Ｅｍｉｔｔｉｎｇ  Ｄｉｏｄｅ）バックライトを有するＬＣＤ（Ｌｉｑｕｉｄ  Ｃｒｙｓｔａｌ  Ｄｉｓｐｌａｙ）装置では、分光特性が急峻であるため、ユーザ間の知覚色（ユーザによって知覚される色）の差が大きくなり易い。そのため、確認用の画像データを画像表示装置に表示する場合には、ユーザ間の視覚特性の違いを考慮する必要がある。具体的には、印刷会社社員が使用する画像表示装置に対して、印刷会社社員の視覚特性に適したプロファイルデータを設定し、印刷依頼主が使用する画像表示装置に対して、印刷依頼主の視覚特性に適したプロファイルデータを設定する必要がある。プロファイルデータは、画像表示装置の表示特性を変更するデータである。それにより、印刷会社社員と印刷依頼主の間の知覚色の差を低減することができる。
【０００５】
従来技術では、設定対象のプロファイルデータ（画像表示装置に設定するプロファイルデータ）がユーザによって指定される。しかしながら、画像表示装置の設定に関して不得手なユーザは、適切なプロファイルデータを容易に指定することはできない。特に、要求印刷依頼主は画像表示装置の設定に関して不得手である場合が多い。そのため、画像表示装置の設定に関して不得手なユーザの画像表示装置に対して適切なプロファイルデータを容易に設定することができず、当該画像表示装置に対して不適切なプロファイルデータが設定されてしまう虞がある。
【０００６】
画像データを扱う装置に関する従来技術として、例えば、特許文献１，２に開示の技術がある。特許文献１に開示の技術では、画像データに付随情報と登録者情報（画像の登録者の情報）とが関連付けられており、登録者以外のユーザに画像データを提供する際に、付随情報が補正されてユーザに提供される。特許文献２に開示の技術では、画像データに関連付けられている色管理プロファイルを利用するか否かが、ユーザ操作に応じて切り替えられる。
【０００７】
しかしながら、特許文献１に開示の技術では、画像の印刷枚数、画像の印刷範囲、画像の表示範囲、等が変更されるだけで、ユーザの視覚特性は考慮されない。また、特許文献
２に開示の技術では、予め用意された色管理プロファイルを利用するか否かが切り替えられるだけで、ユーザの視覚特性は考慮されない。そのため、特許文献１，２に開示の技術を用いたとしても、適切なプロファイルデータを画像表示装置に容易に設定することはできず、ユーザ間の知覚色の差を容易に低減することはできない。「適切なプロファイルデータ」は、例えば、ユーザの視覚特性に適した特性に画像表示装置の表示特性を変更するデータである。
【先行技術文献】
【特許文献】
【０００８】
【特許文献１】特開２０１０−８１１６２号公報
【特許文献２】特開２０１１−１３９３０２号公報
【発明の概要】
【発明が解決しようとする課題】
【０００９】
本発明は、適切なプロファイルデータを画像表示装置に容易に設定することができる技術を提供することを目的とする。
【課題を解決するための手段】
【００１０】
本発明の第１の態様は、
設定されているプロファイルデータを用いて表示特性を変更する画像表示装置と共に使用される情報処理装置であって、
ユーザを示すユーザ情報を含む１つ以上の第１情報に対応付けられているプロファイルデータを１つ以上示し、且つ、表示対象の画像データである対象画像データに対応付けられている、プルーフ情報を取得する第１取得手段と、
前記対象画像データを表示する画像表示装置である使用表示装置の現在のユーザを示す現ユーザ情報を含む１つ以上の第２情報を取得する第２取得手段と、
前記１つ以上の第２情報と同じ１つ以上の第１情報が対応付けられているプロファイルデータである対応プロファイルデータが前記プルーフ情報で示されている場合に、前記対応プロファイルデータを前記使用表示装置に設定する設定手段と、
を有することを特徴とする情報処理装置である。
【００１１】
本発明の第２の態様は、
設定されているプロファイルデータを用いて表示特性を変更する画像表示装置と共に使用される情報処理装置の制御方法であって、
ユーザを示すユーザ情報を含む１つ以上の第１情報に対応付けられているプロファイルデータを１つ以上示し、且つ、表示対象の画像データである対象画像データに対応付けられている、プルーフ情報を取得する第１取得ステップと、
前記対象画像データを表示する画像表示装置である使用表示装置の現在のユーザを示す現ユーザ情報を含む１つ以上の第２情報を取得する第２取得ステップと、
前記１つ以上の第２情報と同じ１つ以上の第１情報が対応付けられているプロファイルデータである対応プロファイルデータが前記プルーフ情報で示されている場合に、前記対応プロファイルデータを前記使用表示装置に設定する設定ステップと、
を有することを特徴とする情報処理装置の制御方法である。
【００１２】
本発明の第３の態様は、上述した情報処理装置の制御方法の各ステップをコンピュータに実行させることを特徴とするプログラムである。
【発明の効果】
【００１３】
本発明によれば、適切なプロファイルデータを画像表示装置に容易に設定することができる。
【図面の簡単な説明】
【００１４】
【図１】実施例１に係るモニタープルーフシステムの構成の一例を示す図
【図２】実施例１に係る情報処理装置の処理の流れの一例を示す図
【図３】実施例１に係る画像再生装置の処理の流れの一例を示す図
【図４】実施例１に係るプルーフファイルのデータ構造の一例を示す図
【図５】実施例２に係る情報処理装置の処理の流れの一例を示す図
【図６】実施例２に係るプルーフファイルのデータ構造の一例を示す図
【図７】実施例３に係る情報処理装置の処理の流れの一例を示す図
【図８】実施例３に係るプルーフファイルのデータ構造の一例を示す図
【図９】実施例４に係る情報処理装置の処理の流れの一例を示す図
【図１０】実施例４に係るプルーフファイルのデータ構造の一例を示す図
【図１１】実施例５に係る情報処理装置の処理の流れの一例を示す図
【図１２】実施例５に係るプルーフファイルのデータ構造の一例を示す図
【図１３】実施例６に係るモニタープルーフシステムの構成の一例を示す図
【図１４】実施例６に係る情報処理装置の処理の流れの一例を示す図
【図１５】実施例６に係る画像再生装置の処理の流れの一例を示す図
【図１６】実施例６に係るプルーフファイルのデータ構造の一例を示す図
【図１７】実施例１に係る表示色の測定結果の一例を示す図
【発明を実施するための形態】
【００１５】
＜実施例１＞
以下、本発明の実施例１に係る情報処理装置及びその制御方法について、図面を参照して説明する。本実施例に係る情報処理装置は、設定されているプロファイルデータを用いて表示特性を変更する画像表示装置と共に使用される。プロファイルデータは、画像表示装置の表示特性を変更するデータである。表示特性は、例えば、画像表示装置に入力された画像データの画素値と、画像表示装置の表示輝度や表示色と、の対応関係である。表示輝度は画面上の輝度であり、表示色は画面上の色である。
【００１６】
図１は、本実施例に係るモニタープルーフシステムの構成の一例を示す。本実施例に係るモニタープルーフシステムは、情報処理装置１００、画像再生装置２００、及び、画像表示装置３００を有する。なお、画像再生装置２００は画像表示装置３００に設けられていてもよい。
【００１７】
情報処理装置１００と画像再生装置２００は互いに通信可能に接続されている。画像再生装置２００はネットワークを介して情報処理装置１００に接続されてもよいし、そうでなくてもよい。また、画像再生装置２００は情報処理装置１００に無線で接続されてもよいし、有線で接続されてもよい。画像再生装置２００を情報処理装置１００に接続するためのケーブルとしては、例えば、ＵＳＢ（Ｕｎｉｖｅｒｓａｌ  Ｓｅｒｉａｌ  Ｂｕｓ）ケーブル、ＬＡＮ（Ｌｏｃａｌ  Ａｒｅａ  Ｎｅｔｗｏｒｋ）ケーブル、等を使用することができる。情報処理装置１００と画像再生装置２００の接続には、１本のケーブルが使用されてもよいし、複数本のケーブルが使用されてもよい。図１の例では、画像再生装置２００は、ネットワーク４００を介して情報処理装置１００に接続されている。ネットワーク４００は、例えば、ＬＡＮ、ＷＡＮ（Ｗｉｄｅ  Ａｒｅａ  Ｎｅｔｗｏｒｋ）、インターネット、等である。
【００１８】
画像再生装置２００と画像表示装置３００は互いに通信可能に接続されている。画像表示装置３００はネットワークを介して画像再生装置２００に接続されてもよいし、そうでなくてもよい。また、画像表示装置３００は画像再生装置２００に無線で接続されてもよいし、有線で接続されてもよい。画像表示装置３００を画像再生装置２００に接続するた
めのケーブルとしては、例えば、ＤＶＩ（Ｄｉｇｉｔａｌ  Ｖｉｓｕａｌ  Ｉｎｔｅｒｆａｃｅ）ケーブル、ＨＤＭＩ（Ｈｉｇｈ−Ｄｅｆｉｎｉｔｉｏｎ  Ｍｕｌｔｉｍｅｄｉａ
Ｉｎｔｅｒｆａｃｅ）ケーブル、ＳＤＩ（Ｓｅｒｉａｌ  Ｄｉｇｉｔａｌ  Ｉｎｔｅｒｆａｃｅ）ケーブル、ＵＳＢケーブル、ＬＡＮケーブル、等を使用することができる。画像再生装置２００と画像表示装置３００の接続には、１本のケーブルが使用されてもよいし、複数本のケーブルが使用されてもよい。
【００１９】
本実施例では、画像再生装置２００は、プルーフ情報（プルーフファイル）を、情報処理装置１００に出力する。プルーフファイルについては後述する。情報処理装置１００は、プルーフファイルに基づいて、プロファイルデータの設定を画像再生装置２００に要求する。そして、画像再生装置２００は、情報処理装置１００からの要求に応じて、プロファイルデータを画像表示装置３００に設定したり、画像表示装置３００に設定されているプロファイルデータを切り替えたりする。また、画像再生装置２００は、画像データを画像表示装置３００に出力したりもする。
【００２０】
（情報処理装置）
情報処理装置１００の構成について説明する。
【００２１】
通信部１０１は、画像再生装置２００との間の通信を行う。例えば、通信部１０１は、制御部１０２からの指示に応じて、制御コマンドを画像再生装置２００に出力する。そして、通信部１０１は、制御コマンドに応じて画像再生装置２００から出力された応答データを取得し、取得した応答データを制御部１０２に出力する。本実施例では、制御コマンドとして、プルーフファイル取得要求、使用状況取得要求、及び、プロファイル設定要求が使用される。
【００２２】
プルーフファイル取得要求は、プルーフファイルの送信を要求する制御コマンドである。プルーフファイル取得要求が通信部１０１から画像再生装置２００に送られると、画像再生装置２００から通信部１０１にプルーフファイルが返される（第１取得処理）。
【００２３】
使用状況取得要求は、当該使用状況取得要求の送信先の画像再生装置に接続されている画像表示装置の使用状況を示す１つ以上の使用状況情報（第２情報）の送信を要求する制御コマンドである。図１の例では、「使用状況取得要求の送信先の画像再生装置」は画像再生装置２００であり、「使用状況取得要求の送信先の画像再生装置に接続されている画像表示装置」は画像表示装置３００である。本実施例では、「使用状況取得要求の送信先の画像再生装置」を「使用再生装置」と記載し、「使用状況取得要求の送信先の画像再生装置に接続されている画像表示装置」を「使用表示装置」と記載する。使用状況取得要求が通信部１０１から画像再生装置２００に送られると、画像再生装置２００から通信部１０１に１つ以上の使用状況情報が返される。その結果、通信部１０１によって、１つ以上の使用状況情報が取得される（第２取得処理）。
【００２４】
本実施例では、使用状況取得要求として、ユーザ情報取得要求とモニター情報取得要求が使用される。ユーザ情報取得要求は、使用表示装置の現在のユーザを示す現ユーザ情報の送信を要求する制御コマンドである。ユーザ情報取得要求が通信部１０１から画像再生装置２００に送られると、画像再生装置２００から通信部１０１に現ユーザ情報が返される。モニター情報取得要求は、使用表示装置に関する１つ以上のモニター関連情報の送信を要求する制御コマンドである。モニター情報取得要求が通信部１０１から画像再生装置２００に送られると、画像再生装置２００から通信部１０１に、上記１つ以上のモニター関連情報が返される。本実施例では、モニター情報取得要求が通信部１０１から画像再生装置２００に送られると、使用表示装置を示す使用モニター情報と、使用表示装置の現在の校正状態を示す現校正状態情報と、が画像再生装置２００から通信部１０１に返される
。
【００２５】
現ユーザ情報、使用モニター情報、及び、現校正状態情報は、いずれも使用状況情報である。使用モニター情報と現校正状態情報は、モニター関連情報でもある。現ユーザ情報としては、例えば、ユーザ名、電子メールアドレス、識別子（ＩＤ）、等が使用される。使用モニター情報としては、例えば、機種名、型番、品番、識別子、等が使用される。識別子としては、例えば、ＵＵＩＤ（Ｕｎｉｖｅｒｓａｌｌｙ  Ｕｎｉｑｕｅ  Ｉｄｅｎｔｉｆｉｅｒ）を使用することができる。現校正状態情報としては、例えば、表示輝度の目標値、表示色温度の目標値、表示色域の目標値（目標範囲）、ガンマ値の目標値、等が使用される。表示色温度は表示色の色温度であり、表示色域は表示色の色域である。表示輝度の目標値は、例えば、予め定められた色の画像データの表示輝度の目標値である。表示色温度の目標値は、例えば、予め定められた色の画像データの表示色温度の目標値である。予め定められた色は、例えば、白色である。
【００２６】
プロファイル設定要求は、プロファイルデータの設定を要求する制御コマンドである。プロファイル設定要求が通信部１０１から画像再生装置２００に送られると、画像再生装置２００から画像表示装置３００にプロファイルデータが設定される。
【００２７】
なお、各制御コマンドの出力は互いに異なる機能部によって行われてもよい。各応答データの取得は互いに異なる機能部によって行われてもよい。制御コマンドの出力と応答コマンドの取得とは互いに異なる機能部によって行われてもよい。
【００２８】
制御部１０２は、制御コマンドの出力を通信部１０１に指示する。例えば、制御部１０２は、取得したプルーフファイルと使用状況情報に基づいて、使用表示装置に設定すべきプロファイルデータを決定する。そして、制御部１０２は、決定したプロファイルデータの設定を要求するプロファイル設定要求の出力を、通信部１０１に指示する。それにより、制御部１０２によって決定されたプロファイルデータが使用表示装置に対して設定される。使用表示装置に対してプロファイルデータが設定されている場合には、使用表示装置に設定されているプロファイルデータが、制御部１０２によって決定されたプロファイルデータに更新される。そのため、プロファイル設定要求の出力を通信部１０１に指示する処理は、「プロファイルデータを使用表示装置に設定する処理」と言うこともできる。
【００２９】
（画像再生装置）
画像再生装置２００の構成について説明する。
【００３０】
プルーフファイル記憶部２０１は、１つ以上のプルーフファイルを記憶する。プルーフファイルは、１つ以上のプロファイル関連情報（第１情報）に対応付けられているプロファイルデータを１つ以上示す。また、プルーフファイルは、画像データに対応付けられている。
【００３１】
図４は、プルーフファイルのデータ構造の一例を示す図である。図４において、符号１０は、プルーフファイルを示す。図４の例では、プルーフファイル１０は、プロファイル情報２０と画像データ９０を含む。画像データ９０の代わりに、画像データのデータ名、識別子、等が含まれていてもよい。プルーフファイルは、１つ以上のプロファイル情報を含むことがある。図４の例では、プルーフファイル１０は、２つのプロファイル情報２０を含む。
【００３２】
プロファイル情報２０は、プロファイル識別情報２１、ユーザ情報２２、モニター情報２３、校正状態情報２４、及び、プロファイルデータ２５を含む。プロファイル情報２０は、プロファイルデータ２５を含んでいなくてもよい。ユーザ情報２２、モニター情報２
３、及び、校正状態情報２４は、いずれもプロファイル関連情報である。
【００３３】
プロファイル識別情報２１は、プロファイルデータ２５を示す情報である。プロファイル識別情報２１としては、例えば、プロファイルデータ２５のデータ名、識別子、等が使用される。
【００３４】
ユーザ情報２２は、ユーザ（特定の個人）を示す情報である。プロファイルデータ２５は、ユーザの視覚特性を考慮して生成されたデータである。ユーザ情報２２は、プロファイルデータ２５を生成する際に考慮されたユーザを示す情報である。ユーザ情報２２としては、現ユーザ情報と同様に、ユーザ名、電子メールアドレス、識別子、等が使用される。
【００３５】
モニター情報２３は、画像表示装置（特定の画像表示装置）を示す情報である。プロファイルデータ２５は、プロファイルデータ２５が設定されていない状態での画像表示装置の表示特性をさらに考慮して生成されたデータである。モニター情報２３は、プロファイルデータ２５を生成する際に考慮された画像表示装置を示す情報である。モニター情報としては、使用モニター情報と同様に、機種名、型番、品番、識別子、等が使用される。なお、プロファイルデータを生成する際に画像表示装置の表示特性は考慮されなくてもよい。
【００３６】
校正状態情報２４は、画像表示装置の校正状態を示す情報である。プロファイルデータ２５は、プロファイルデータ２５の生成時における上記考慮された画像表示装置の校正状態をさらに考慮して生成されたデータである。校正状態情報２４は、プロファイルデータ２５を生成する際に考慮された校正状態を示す情報である。校正状態情報２４としては、現校正状態情報と同様に、表示輝度の目標値、表示色温度の目標値、表示色域の目標値（目標範囲）、ガンマ値の目標値、等が使用される。なお、プロファイルデータを生成する際に画像表示装置の校正状態は考慮されなくてもよい。
【００３７】
プロファイルデータ２５は、ユーザ情報２２で示されたユーザの視覚特性に合うように、モニター情報２３で示された画像表示装置の表示特性を変更するデータである。プロファイルデータ２５は、「ユーザ情報２２で示されたユーザの視覚特性に適した特性に、モニター情報２３で示された画像表示装置の表示特性を変更するデータ」と言うこともできる。表示特性を変更することにより、表示輝度と表示色の少なくとも一方が変更（補正）される。プロファイルデータのデータ形式、及び、プロファイルデータを用いて表示特性の変更方法は特に限定されない。本実施例では、画像データ９０の画素値がＲＧＢ値（Ｒ値、Ｇ値、及び、Ｂ値の組み合わせ）であり、プロファイルデータ２５が、入力されたＲＧＢ値を変更（補正）して出力する３次元ルックアップテーブル（３Ｄ−ＬＵＴ）である。
【００３８】
プロファイルデータは、例えば、以下の方法で生成される。
まず、基準色と同じ色としてユーザに知覚される表示色が、画像表示装置を用いて測定される。表示色は、１つ以上の基準色について測定される。基準色は、例えば、印刷物の色である。
そして、表示色の測定結果に基づいて、３Ｄ−ＬＵＴの出力値が決定される。それにより、３Ｄ−ＬＵＴ（プロファイルデータ）が生成される。
【００３９】
図１７に、表示色の測定結果の一例を示す。図１７には、ユーザＡとユーザＢの２人の測定結果が示されている。図１７には、ＲＧＢ値（Ｒ値，Ｇ値，Ｂ値）が（３０，３０，３０）、（９０，９０，９０）、（１５０，１５０，１５０）、（２１０，２１０，２１０）の４つの基準色についての表示色の測定結果が示されている。
【００４０】
図１７の例では、ユーザＡは、ＲＧＢ値（８９，９２，８８）の表示色を、ＲＧＢ値（９０，９０，９０）の基準色と同じ色として知覚する。この場合には、３Ｄ−ＬＵＴの入力値であるＲＧＢ値（９０，９０，９０）に対応する出力値として、ＲＧＢ値（８９，９２，８８）が設定される。他の出力値も同様に設定される。
それにより、ユーザＡ用のプロファイルデータが生成される。
【００４１】
また、図１７の例では、ユーザＢは、ＲＧＢ値（１５２，１４８，１５３）の表示色を、ＲＧＢ値（１５０，１５０，１５０）の基準色と同じ色として知覚する。この場合には、３Ｄ−ＬＵＴの入力値であるＲＧＢ値（１５０，１５０，１５０）に対応する出力値として、ＲＧＢ値（１５２，１４８，１５３）が設定される。他の出力値も同様に設定される。
それにより、ユーザＢ用のプロファイルデータが生成される。
【００４２】
基準色の数を増やすことにより、より高精度な表示色の補正を実現するプロファイルデータを生成することができる。また、ユーザ、画像表示装置、校正状態、等の条件を変えながら上記処理を繰り返し行うことにより、複数のプロファイルデータを生成することができる。
【００４３】
なお、画像データの取り得る全てのＲＧＢ値が基準色として使用されなくてもよい。基準色でない入力値に対応する出力値は、既に決定されている出力値を用いて決定することができる。例えば、基準色でない入力値に対応する出力値は、既に決定されている複数の出力値を用いた内挿処理や外挿処理によって決定することができる。「既に決定されている出力値」は、例えば、基準色である入力値に対応する出力値である。「既に決定されている複数の出力値」は、基準色でない入力値に対応する出力値を含んでいてもよい。基準色でない入力値に対応する出力値は、プロファイルデータを生成する際に決定されてもよいし、プロファイルデータを用いたＲＧＢ値の補正時に決定されてもよい。
【００４４】
画像再生部２０２は、プルーフファイル記憶部２０１が記憶している画像データを取得する。本実施例では、プルーフファイルに含まれている画像データが取得される。ここで、取得された画像データは、表示対象の画像データ（対象画像データ）である。画像再生部２０２は、取得した画像データのデータ形式を、画像表示装置３００で表示可能なデータ形式に変換（デコード）し、データ形式が変換された後の画像データを画像表示装置３００に出力する。また、画像再生部２０２は、対象画像データに対応付けられているプルーフファイルを保持する。
【００４５】
プロファイル設定部２０３は、対象画像データに対応付けられているプルーフファイルを、画像再生部２０２から取得する。そして、プロファイル設定部２０３は、情報処理装置１００から通信部２０４を介して入力されたプロファイル設定要求に応じて、取得したプルーフファイルに含まれているプロファイルデータを、画像表示装置３００に設定する。画像表示装置３００に対してプロファイルデータが設定されている場合には、画像表示装置３００に設定されているプロファイルデータが、プロファイル設定要求に応じたプロファイルデータに更新される。プロファイル設定部２０３は、情報処理装置１００に設けられていてもよい。
【００４６】
通信部２０４は、情報処理装置１００との間の通信を行う。本実施例では、通信部２０４は、情報処理装置１００から出力された制御コマンドを受信し、受信した制御コマンドに応じた処理を行う。
【００４７】
通信部２０４は、プルーフファイル取得要求を受信した場合に、対象画像データに対応
付けられているプルーフファイルを、画像再生部２０２から取得する。そして、通信部２０４は、取得したプルーフファイルを、応答データとして情報処理装置１００に出力する。
また、通信部２０４は、プロファイル設定要求を受信した場合に、受信したプロファイル設定要求をプロファイル設定部２０３に出力する。
【００４８】
また、通信部２０４は、使用状況取得要求を受信した場合に、画像表示装置３００の使用状況を示す１つ以上の使用状況情報を、応答データとして情報処理装置１００に出力する。上述したように、本実施例では、使用状況取得要求として、ユーザ情報取得要求とモニター情報取得要求が使用される。通信部２０４は、ユーザ情報取得要求を受信した場合に、画像表示装置３００の現在のユーザを示す現ユーザ情報を、後述するユーザ特定部２０６から取得する。そして、通信部２０４は、取得した現ユーザ情報を、応答データとして情報処理装置１００に出力する。また、通信部２０４は、モニター情報取得要求を受信した場合に、画像表示装置３００に関する１つ以上のモニター関連情報を、後述するモニター関連情報取得部２０５から取得する。本実施例では、モニター関連情報として、画像表示装置３００を示す使用モニター情報と、画像表示装置３００の現在の校正状態を示す現校正状態情報と、が取得される。そして、通信部２０４は、取得したモニター関連情報（使用モニター情報と現校正状態情報）を、応答データとして情報処理装置１００に出力する。
【００４９】
モニター関連情報取得部２０５は、画像再生装置２００に接続されている画像表示装置３００から、画像表示装置３００を示す使用モニター情報と、画像表示装置３００の現在の校正状態を示す現校正状態情報と、を取得する。そして、モニター関連情報取得部２０５は、取得した使用モニター情報と現校正状態情報を保持する。
【００５０】
ユーザ特定部２０６は、画像再生装置２００に接続されている画像表示装置３００の現在のユーザを特定する。そして、ユーザ特定部２０６は、特定したユーザを示すユーザ情報を、現ユーザ情報として保持する。例えば、ユーザ特定部２０６は、画像表示装置３００の現在のユーザから、当該ユーザを示す現ユーザ情報の入力を受け付ける。現ユーザ情報が入力されることにより、画像表示装置３００の現在のユーザが特定される。そして、ユーザ特定部２０６は、入力された現ユーザ情報を保持する。
【００５１】
（情報処理装置の処理）
情報処理装置１００の制御部１０２の処理について、図２を用いて説明する。図２は、制御部１０２の処理の流れの一例を示すフローチャートである。
【００５２】
まず、制御部１０２は、通信部１０１を介して画像再生装置２００から、使用状況情報をプルーフ条件として取得する（Ｓ１０１）。本実施例では、使用状況情報（プルーフ条件）として、現ユーザ情報、使用モニター情報、及び、現校正状態情報の３つの情報が取得される。
【００５３】
次に、制御部１０２は、通信部１０１を介して画像再生装置２００から、対象画像データに対応付けられているプルーフファイルを取得する（Ｓ１０２）。
【００５４】
そして、制御部１０２は、Ｓ１０１で取得したプルーフ条件に合致するプロファイルデータである対応プロファイルデータが、Ｓ１０２で取得したプルーフファイルで示されているか否かを判定する（Ｓ１０３）。対応プロファイルデータは、「Ｓ１０１で取得された使用状況情報と同じプロファイル関連情報が対応付けられているプロファイルデータ」と言うこともできる。本実施例では、対応プロファイルデータは、現ユーザ情報と同じユーザ情報、使用モニター情報と同じモニター情報、及び、現校正状態情報と同じ校正状態
情報に対応付けられているプロファイルデータである。対応プロファイルデータがプルーフファイルで示されている場合には、Ｓ１０４に処理が進められ、対応プロファイルデータがプルーフファイルで示されていない場合には、本フローチャートが終了される。
【００５５】
Ｓ１０４では、制御部１０２は、対応プロファイルデータの設定を要求するプロファイル設定要求の出力を、通信部１０１に指示する。それにより、対応プロファイルデータの設定を要求するプロファイル設定要求が、通信部１０１から画像再生装置２００に出力される。対応プロファイルデータの設定を要求するプロファイル設定要求は、例えば、対応プロファイルデータに対応付けられているプロファイル識別情報である。
【００５６】
（画像再生装置の処理）
画像再生装置２００のプロファイル設定部２０３の処理について、図３を用いて説明する。図３は、プロファイル設定部２０３の処理の流れの一例を示すフローチャートである。
【００５７】
まず、プロファイル設定部２０３は、情報処理装置１００から通信部２０４を介してプロファイル設定要求を受信する（Ｓ２０１）。例えば、Ｓ１０３で検出された対応プロファイルデータのプロファイル識別情報が受信される。
【００５８】
次に、プロファイル設定部２０３は、Ｓ２０１で受信したプロファイル設定要求に応じたプロファイルデータ、即ちＳ１０３で検出された対応プロファイルデータを取得する（Ｓ２０２）。本実施例では、プロファイル設定部２０３は、対象画像データに対応付けられているプルーフファイルを、画像再生部２０２から取得する。そして、プロファイル設定部２０３は、Ｓ２０１で受信したプロファイル設定要求に応じたプロファイルデータを、取得したプルーフファイルから抽出する。具体的には、Ｓ２０１で受信されたプロファイル識別情報に対応付けられているプロファイル情報が、取得したプルーフファイルから抽出される。そして、抽出されたプロファイル情報からプロファイルデータが抽出される。
【００５９】
そして、プロファイル設定部２０３は、Ｓ２０２で取得（抽出）したプロファイルデータを画像表示装置３００に設定する（Ｓ２０３）。
【００６０】
上述したように、Ｓ１０３で対応プロファイルデータがプルーフファイルで示されていないと判定された場合には、情報処理装置１００からプロファイル設定要求は出力されない。そのため、Ｓ１０３で対応プロファイルデータがプルーフファイルで示されていないと判定された場合には、画像表示装置３００にプロファイルデータを設定する処理は行われない。しかしながら、Ｓ１０３で対応プロファイルデータがプルーフファイルで示されていないと判定された場合には、画像表示装置３００に所定のプロファイルデータが設定されてもよい。
【００６１】
以上述べたように、本実施例によれば、対象画像データに対応付けられているプルーフファイルと、使用表示装置の現在のユーザを示す現ユーザ情報を含む使用状況情報と、が使用（比較）される。そして、対象画像データのプルーフファイルが示す１つ以上のプロファイルデータから、使用状況情報と同じプロファイル関連情報に対応付けられているプロファイルデータが検出され、検出されたプロファイルデータが使用表示装置に設定される。これにより、適切なプロファイルデータを画像表示装置に容易に設定することができる。具体的には、プロファイルデータを設定する操作をユーザが行うことなく、当該ユーザの視覚特性に適したプロファイルデータを画像表示装置に適用することができる。
【００６２】
また、本実施例では、インターネット回線を用いてプロファイルデータの設定が制御さ
れるため、遠隔地からプロファイルデータの設定を制御することができる。そのため、互いに大きく離れた位置にいる複数のユーザが同じ画像データを自身の画像表示装置で確認する場合において、不適切なプロファイルデータが画像表示装置に設定されることを抑制することができる。その結果、複数のユーザが同じ色（正しい色）で画像データを確認することができる。
【００６３】
また、本実施例では、使用状況情報として、現ユーザ情報だけでなく、使用モニター情報と現校正状態情報も使用されるため、ユーザの視覚特性に適したプロファイルデータをより確実に画像表示装置に設定することができる。具体的には、ユーザ、画像表示装置、及び、校正状態に適したプロファイルデータを画像表示装置に設定することができる。
【００６４】
なお、１つ以上のプロファイル関連情報は、少なくともユーザ情報を含んでいればよい。また、１つ以上の使用状況情報は、少なくとも現ユーザ情報を含んでいればよい。ここで、プロファイルデータが設定されていない状態での画像表示装置の表示特性と、画像表示装置の校正状態と、が一定である場合を考える。その場合には、ユーザ情報と現ユーザ情報を使用するだけで、ユーザの視覚特性に適したプロファイルデータを画像表示装置に設定することができる。
【００６５】
＜実施例２＞
以下、本発明の実施例２に係る情報処理装置及びその制御方法について、図面を参照して説明する。本実施例では、画像表示装置の校正日時（画像表示装置の校正が行われた日時）から現在時刻までの経過時間をさらに考慮する。
【００６６】
本実施例に係るモニタープルーフシステムの構成は、実施例１（図１）と同じである。以下では、実施例１と異なる構成や処理について説明し、実施例１と同じ構成や処理についての説明は省略する。
【００６７】
本実施例に係るプルーフファイルが示すプロファイルデータには、１つ以上のプロファイル関連情報の他に、校正日時情報がさらに対応付けられている。プロファイルデータに対応付けられている校正日時情報は、そのプロファイルデータの生成日時よりも前の、当該プロファイルデータを生成する際に考慮された画像表示装置の校正日時を示す情報である。例えば、校正日時情報は、プロファイルデータの生成日時の直前に行われた校正の日時を示す情報である。校正日時情報が示す校正日時の単位は、月単位であってもよいし、日単位であってもよいし、時単位であってもよいし、分単位であってもよいし、秒単位であってもよい。
【００６８】
図６は、本実施例に係るプルーフファイルのデータ構造の一例を示す図である。図６において、符号３０は、プルーフファイルを示す。図６に示すように、本実施例では、プロファイル情報３１は、実施例１のプロファイル情報２０が含む情報の他に、校正日時情報３２をさらに含む。校正日時情報３２は、モニター情報２３が示す画像表示装置の校正日時を示す情報である。例えば、校正日時情報３２は、モニター情報２３が示す画像表示装置を、校正状態情報２４が示す校正状態に校正した日時を示す情報である。
【００６９】
（情報処理装置の処理）
本実施例に係る情報処理装置１００の制御部１０２の処理について、図５を用いて説明する。図５は、本実施例に係る制御部１０２の処理の流れの一例を示すフローチャートである。
【００７０】
図５のＳ１０１〜Ｓ１０３の処理は、図２のＳ１０１〜Ｓ１０３の処理と同じである。但し、本実施例では、Ｓ１０２で取得されたプルーフファイルで対応プロファイルデータ
が示されている場合には、Ｓ１０３からＳ１１１に処理が進められる。
【００７１】
Ｓ１１１では、制御部１０２は、Ｓ１０３で検出された対応プロファイルデータに対応付けられている校正日時から現在時刻までの経過時間が第１閾値よりも長いか否かを判定する。経過時間が第１閾値以下である場合には、Ｓ１０４に処理が進められる。図５のＳ１０４の処理は、図２のＳ１０４の処理と同じである。経過時間が第１閾値よりも長い場合には、使用表示装置の現在の表示特性が、対応プロファイルデータの生成時と大きく異なる可能性が高い。経過時間が第１閾値よりも長い場合には、使用表示装置のユーザの視覚特性が、対応プロファイルデータの生成時と大きく異なる可能性も高い。ユーザの視覚特性は、例えば、加齢によって変化する。そのため、本実施例では、経過時間が第１閾値よりも長い場合には、本フローチャートが終了される。その結果、対応プロファイルデータを使用表示装置に設定する処理が省略される。「対応プロファイルデータを使用表示装置に設定する処理を省略する」とは、使用表示装置にプロファイルデータを設定する処理を行わないこと、使用表示装置に所定のプロファイルデータを設定すること、等を意味する。
【００７２】
なお、第１閾値は、メーカ等によって予め定められた固定値であってもよいし、そうでなくてもよい。例えば、第１閾値は、ユーザが変更可能な値であってもよいし、使用表示装置の使用環境などに応じて自動で決定及び変更される値であってもよい。
【００７３】
以上述べたように、本実施例によれば、使用表示装置の校正日時から現在時刻までの経過時間が長いか否かが判定される。そして、経過時間が長い場合に、対応プロファイルデータを使用表示装置に設定する処理が省略される。それにより、画像表示装置の劣化、ユーザの視覚特性の変化、等を考慮して、不適切なプロファイルデータが画像表示装置に設定されることを抑制することができる。
【００７４】
＜実施例３＞
以下、本発明の実施例３に係る情報処理装置及びその制御方法について、図面を参照して説明する。本実施例では、プロファイルデータの生成日時（プロファイルデータが生成された日時）から現在時刻までの経過時間をさらに考慮する。
【００７５】
本実施例に係るモニタープルーフシステムの構成は、実施例１（図１）と同じである。以下では、実施例１と異なる構成や処理について説明し、実施例１と同じ構成や処理についての説明は省略する。
【００７６】
本実施例に係るプルーフファイルが示すプロファイルデータには、１つ以上のプロファイル関連情報の他に、生成日時情報がさらに対応付けられている。プロファイルデータに対応付けられている校正日時情報は、そのプロファイルデータの生成日時を示す情報である。生成日時情報が示す生成日時の単位は、月単位であってもよいし、日単位であってもよいし、時単位であってもよいし、分単位であってもよいし、秒単位であってもよい。
【００７７】
図８は、本実施例に係るプルーフファイルのデータ構造の一例を示す図である。図８において、符号４０は、プルーフファイルを示す。図８に示すように、本実施例では、プロファイル情報４１は、実施例１のプロファイル情報２０が含む情報の他に、生成日時情報４２をさらに含む。生成日時情報４２は、プロファイルデータ２５の生成日時を示す情報である。
【００７８】
（情報処理装置の処理）
本実施例に係る情報処理装置１００の制御部１０２の処理について、図７を用いて説明する。図７は、本実施例に係る制御部１０２の処理の流れの一例を示すフローチャートで
ある。
【００７９】
図７のＳ１０１〜Ｓ１０３の処理は、図２のＳ１０１〜Ｓ１０３の処理と同じである。但し、本実施例では、Ｓ１０２で取得されたプルーフファイルで対応プロファイルデータが示されている場合には、Ｓ１０３からＳ１２１に処理が進められる。
【００８０】
Ｓ１２１では、制御部１０２は、Ｓ１０３で検出された対応プロファイルデータに対応付けられている生成日時から現在時刻までの経過時間が第２閾値よりも長いか否かを判定する。経過時間が第２閾値以下である場合には、Ｓ１０４に処理が進められる。図７のＳ１０４の処理は、図２のＳ１０４の処理と同じである。経過時間が第２閾値よりも長い場合には、使用表示装置の現在の表示特性が、対応プロファイルデータの生成時と大きく異なる可能性が高い。経過時間が第２閾値よりも長い場合には、使用表示装置のユーザの視覚特性が、対応プロファイルデータの生成時と大きく異なる可能性も高い。そのため、本実施例では、経過時間が第２閾値よりも長い場合には、本フローチャートが終了される。その結果、対応プロファイルデータを使用表示装置に設定する処理が省略される。
【００８１】
なお、第２閾値は、メーカ等によって予め定められた固定値であってもよいし、そうでなくてもよい。例えば、第２閾値は、ユーザが変更可能な値であってもよいし、使用表示装置の使用環境などに応じて自動で決定及び変更される値であってもよい。
【００８２】
以上述べたように、本実施例によれば、対応プロファイルデータの生成日時から現在時刻までの経過時間が長いか否かが判定される。そして、経過時間が長い場合に、対応プロファイルデータを使用表示装置に設定する処理が省略される。それにより、画像表示装置の劣化、ユーザの視覚特性の変化、等を考慮して、不適切なプロファイルデータが画像表示装置に設定されることを抑制することができる。
【００８３】
＜実施例４＞
以下、本発明の実施例４に係る情報処理装置及びその制御方法について、図面を参照して説明する。本実施例では、画像表示装置に対するプロファイルデータの設定日時（画像表示装置に対してプロファイルデータが設定された日時）から現在時刻までの経過時間をさらに考慮する。
【００８４】
本実施例に係るモニタープルーフシステムの構成は、実施例１（図１）と同じである。以下では、実施例１と異なる構成や処理について説明し、実施例１と同じ構成や処理についての説明は省略する。
【００８５】
本実施例に係るプルーフファイルが示すプロファイルデータには、１つ以上のプロファイル関連情報の他に、設定日時情報がさらに対応付けられている。プロファイルデータに対応付けられている設定日時情報は、現在時刻よりも前の、そのプロファイルデータを生成する際に考慮された画像表示装置に対する当該プロファイルデータの設定日時を示す情報である。例えば、設定日時情報は、プロファイルデータの生成日時の直前の設定日時を示す情報である。設定日時情報が示す設定日時の単位は、月単位であってもよいし、日単位であってもよいし、時単位であってもよいし、分単位であってもよいし、秒単位であってもよい。
【００８６】
図１０は、本実施例に係るプルーフファイルのデータ構造の一例を示す図である。図１０において、符号５０は、プルーフファイルを示す。図１０に示すように、本実施例では、プロファイル情報５１は、実施例１のプロファイル情報２０が含む情報の他に、設定日時情報５２をさらに含む。設定日時情報５２は、モニター情報２３が示す画像表示装置に対するプロファイルデータ２５の設定日時を示す。
【００８７】
（情報処理装置の処理）
本実施例に係る情報処理装置１００の制御部１０２の処理について、図９を用いて説明する。図９は、本実施例に係る制御部１０２の処理の流れの一例を示すフローチャートである。
【００８８】
図９のＳ１０１〜Ｓ１０３の処理は、図２のＳ１０１〜Ｓ１０３の処理と同じである。但し、本実施例では、Ｓ１０２で取得されたプルーフファイルで対応プロファイルデータが示されている場合には、Ｓ１０３からＳ１３１に処理が進められる。
【００８９】
Ｓ１３１では、制御部１０２は、Ｓ１０３で検出された対応プロファイルデータに対応付けられている設定日時から現在時刻までの経過時間が第３閾値よりも長いか否かを判定する。経過時間が第３閾値以下である場合には、Ｓ１０４に処理が進められる。図９のＳ１０４の処理は、図２のＳ１０４の処理と同じである。経過時間が第３閾値よりも長い場合には、使用表示装置の現在の表示特性が、対応プロファイルデータの生成時と大きく異なる可能性が高い。経過時間が第３閾値よりも長い場合には、使用表示装置のユーザの視覚特性が、対応プロファイルデータの生成時と大きく異なる可能性も高い。そのため、本実施例では、経過時間が第３閾値よりも長い場合には、本フローチャートが終了される。その結果、対応プロファイルデータを使用表示装置に設定する処理が省略される。
【００９０】
なお、第３閾値は、メーカ等によって予め定められた固定値であってもよいし、そうでなくてもよい。例えば、第３閾値は、ユーザが変更可能な値であってもよいし、使用表示装置の使用環境などに応じて自動で決定及び変更される値であってもよい。
【００９１】
以上述べたように、本実施例によれば、対応プロファイルデータの設定日時から現在時刻までの経過時間が長いか否かが判定される。そして、経過時間が長い場合に、対応プロファイルデータを使用表示装置に設定する処理が省略される。それにより、画像表示装置の劣化、ユーザの視覚特性の変化、等を考慮して、不適切なプロファイルデータが画像表示装置に設定されることを抑制することができる。画像表示装置を用いて画像データの色や輝度を確認するモニタープルーフでは、プロファイルデータが画像表示装置に対して設定される可能性が高い。そのため、プロファイルの設定日時は、モニタープルーフが行われた日時を示している可能性が高い。したがって、本実施例によれば、モニタープルーフが行われてからの経過時間を考慮して、対応プロファイルデータの設定を制御することができる。
【００９２】
＜実施例５＞
以下、本発明の実施例５に係る情報処理装置及びその制御方法について、図面を参照して説明する。本実施例では、プロファイルデータの優先度をさらに考慮する。
【００９３】
本実施例に係るモニタープルーフシステムの構成は、実施例１（図１）と同じである。以下では、実施例１と異なる構成や処理について説明し、実施例１と同じ構成や処理についての説明は省略する。
【００９４】
本実施例に係るプルーフファイルが示すプロファイルデータには、１つ以上のプロファイル関連情報の他に、優先度情報がさらに対応付けられている。プロファイルデータに対応付けられている優先度情報は、そのプロファイルデータの優先度を示す情報である。例えば、優先度情報は数値である。なお、優先度が高いほど優先度情報の数値は大きくてもよいし、優先度が高いほど優先度情報の数値は小さくてもよい。
【００９５】
図１２は、本実施例に係るプルーフファイルのデータ構造の一例を示す図である。図１
２において、符号６０は、プルーフファイルを示す。図１２に示すように、本実施例では、プロファイル情報６１は、実施例１のプロファイル情報２０が含む情報の他に、優先度情報６２をさらに含む。優先度情報６２は、プロファイルデータ２５の優先度を示す。
【００９６】
（情報処理装置の処理）
本実施例に係る情報処理装置１００の制御部１０２の処理について、図１１を用いて説明する。図１１は、本実施例に係る制御部１０２の処理の流れの一例を示すフローチャートである。
【００９７】
図１１のＳ１０１〜Ｓ１０３の処理は、図２のＳ１０１〜Ｓ１０３の処理と同じである。但し、本実施例では、Ｓ１０１において、複数の現ユーザ情報が取得されることがある。その場合には、Ｓ１０３において、１つ以上の使用状況情報が含む現ユーザ情報として複数の現ユーザ情報のそれぞれを用いて、Ｓ１０２で取得されたプルーフファイルが示すプロファイルデータから、対応プロファイルデータが検出される。そのため、本実施例では、複数の対応プロファイルデータが検出されることがある。また、本実施例では、Ｓ１０２で取得されたプルーフファイルで１つ以上の対応プロファイルデータが示されている場合には、Ｓ１０３からＳ１４１に処理が進められる。
【００９８】
Ｓ１４１では、制御部１０２は、対応プロファイルデータの設定を要求するプロファイル設定要求の出力を、通信部１０１に指示する。Ｓ１０２で取得されたプルーフファイルで複数の対応プロファイルデータが示されている場合には、複数の対応プロファイルデータのうち、対応付けられている優先度が最も高い対応プロファイルデータの設定を要求するプロファイル設定要求が出力される。それにより、複数の対応プロファイルデータのうち、対応付けられている優先度が最も高い対応プロファイルデータは、使用表示装置に設定される。
【００９９】
以上述べたように、本実施例によれば、複数の対応プロファイルデータが検出された場合に、複数の対応プロファイルデータのうち、優先度が最も高い対応プロファイルデータが、使用表示装置に設定される。これにより、より適切な対応プロファイルデータを画像表示装置に設定することができる。複数の現ユーザ情報が取得される場合、及び、複数の対応プロファイルデータが検出される場合は、例えば、使用表示装置の現在のユーザが複数存在する場合である。本実施例によれば、複数のユーザのうち、優先度が最も高いユーザの視覚特性に適したプロファイルデータを、画像表示装置に設定することができる。
【０１００】
なお、他の実施例においても、情報処理装置が複数の現ユーザ情報を取得することがある。その場合には、例えば、現ユーザ情報として複数の現ユーザのいずれか１つを用いて、対応プロファイルデータが検出される。本実施例と同様の方法で対応プロファイルデータが検出されてもよい。そして、複数の対応プロファイルデータが検出された場合には、複数の対応プロファイルデータのうちの１つが所定の方法で選択されて使用表示装置に設定されてもよい。所定の方法は、例えば、複数の対応プロファイルデータのうちの１つをランダムに選択する選択方法である。
【０１０１】
＜実施例６＞
以下、本発明の実施例６に係る情報処理装置及びその制御方法について、図面を参照して説明する。本実施例では、画像表示装置に対する外光を考慮してプロファイルデータが生成されている。外光は、日光のような環境光、照明装置からの光のような照明光、等である。照明装置は、街灯、室内照明、等である。そして、本実施例では、画像表示装置に対する外光をさらに考慮して、プロファイルデータの設定が制御される。
なお、以下では、実施例１と異なる構成や処理について説明し、実施例１と同じ構成や処理についての説明は省略する。
【０１０２】
図１３は、本実施例に係るモニタープルーフシステムの構成の一例を示す。図１３において、実施例１（図１）と同じ機能部には実施例１と同じ符号を付し、その説明は省略する。図１３に示すように、本実施例に係る画像再生装置５００は、実施例１の画像再生装置２００が有する機能部の他に、外光測定部２１１をさらに有する。
【０１０３】
外光測定部２１１は、画像再生装置５００に接続されている画像表示装置３００に対する現在の外光を測定する測定装置である。外光測定部２１１は、例えば、画像表示装置３００に対する現在の外光の輝度と色の少なくとも一方を測定する。本実施例では、画像表示装置３００に対する現在の外光のＸＹＺ三刺激値が取得される。外光測定部２１１は、画像表示装置３００に対する現在の外光の測定結果を、現外光情報として保持する。画像表示装置３００に対する外光が変化すると、外光測定部２１１が保持している現外光情報は更新される。
【０１０４】
なお、外光の測定は、画像再生装置５００とは異なる測定装置によって測定されてもよい。即ち、外光測定部２１１は、画像再生装置５００から独立した測定装置であってもよい。
なお、外光測定部２１１は、外光を測定せずに、画像表示装置３００に対する現在の外光の種類を表す情報を取得し、取得した情報を現外光情報として出力してもよい。現外光情報は、画像表示装置３００に対する現在の外光を示す情報であれば、どのような情報であってもよい。
【０１０５】
本実施例に係るプルーフファイルが示すプロファイルデータには、１つ以上のプロファイル関連情報の他に、外光情報がさらに対応付けられている。プロファイルデータに対応付けられている外光情報は、そのプロファイルデータを生成する際に考慮された外光を示す情報である。例えば、外光情報は、プロファイルデータを生成する際に考慮された外光の輝度、色度、ＸＹＺ三刺激値、種類、の少なくともいずれかを示す情報である。本実施例では、外光情報は、プロファイルデータを生成する際に考慮された外光のＸＹＺ三刺激値を示す。
【０１０６】
図１６は、本実施例に係るプルーフファイルのデータ構造の一例を示す図である。図１６において、符号７０は、プルーフファイルを示す。図１６に示すように、本実施例では、プロファイル情報７１は、実施例１のプロファイル情報２０が含む情報の他に、外光情報７２をさらに含む。外光情報７２は、例えば、モニター情報２３が示す画像表示装置に対する、プロファイルデータ２５の生成時における外光を示す情報である。
【０１０７】
本実施例では、情報処理装置１００の制御部１０２は、現外光取得要求の出力を、情報処理装置１００の通信部１０１にさらに指示する。現外光取得要求は、使用表示装置に対する現在の外光を示す現外光情報の送信を要求する制御コマンドである。本実施例でも、使用表示装置は、画像表示装置３００である。通信部１０１は、現外光取得要求の出力が指示されると、現外光取得要求を画像再生装置５００（画像再生装置５００の通信部２０４）に出力する。通信部２０４は、現外光取得要求を受信すると、現外光情報を外光測定部２１１から取得する。そして、通信部２０４は、取得した現外光情報を、応答データとして情報処理装置１００（通信部１０１）に出力する。その結果、通信部１０１によって、現外光情報が取得される（第３取得処理）。ここで、現外光情報は、実施例１で述べた「使用状況情報（プルーフ条件）」ではない。
【０１０８】
そして、本実施例では、制御部１０２は、対応プロファイルデータに対応付けられている外光が使用表示装置に対する現在の外光と異なる場合に、プロファイル補正要求とプロファイル設定要求の出力を、通信部１０１に指示する。それにより、補正プロファイルデ
ータが使用表示装置に設定される。プロファイル補正要求は、対応プロファイルデータの補正を要求する制御コマンドである。補正プロファイルデータは、対応プロファイルデータに対応付けられている外光と、使用表示装置に対する現在の外光と、の差に基づいて対応プロファイルデータを補正したプロファイルデータである。
【０１０９】
なお、実施例１で述べたように、各制御コマンドの出力は互いに異なる機能部によって行われてもよい。各応答データの取得は互いに異なる機能部によって行われてもよい。制御コマンドの出力と応答コマンドの取得とは互いに異なる機能部によって行われてもよい。
【０１１０】
（情報処理装置の処理）
本実施例に係る情報処理装置１００の制御部１０２の処理について、図１４を用いて説明する。図１４は、本実施例に係る制御部１０２の処理の流れの一例を示すフローチャートである。
【０１１１】
図１４のＳ１０１〜Ｓ１０３の処理は、図２のＳ１０１〜Ｓ１０３の処理と同じである。但し、本実施例では、Ｓ１０２で取得されたプルーフファイルで対応プロファイルデータが示されている場合には、Ｓ１０３からＳ１５１に処理が進められる。
【０１１２】
Ｓ１５１では、制御部１０２は、通信部１０１を介して画像再生装置５００から、使用画像表示装置の現在の外光を示す現外光情報を取得する。
そして、制御部１０２は、Ｓ１５１で取得された現外光情報が示す外光（現外光）が、Ｓ１０３で検出された対応プロファイルデータに対応付けられている外光（対応外光）と一致しているか否かを判定する（Ｓ１５２）。即ち、使用表示装置に対する現在の外光が対応プロファイルデータに対応付けられている外光と一致しているか否かが判定される。本実施例では、２つの外光のＸＹＺ値が互いに等しい場合に、当該２つの外光が互いに等しいと判定される。Ｓ１５１で取得された現外光情報が示す外光が、Ｓ１０３で検出された対応プロファイルデータに対応付けられている外光と一致している場合には、Ｓ１０４に処理が進められる。Ｓ１５１で取得された現外光情報が示す外光が、Ｓ１０３で検出された対応プロファイルデータに対応付けられている外光と異なる場合には、Ｓ１５３に処理が進められる。
【０１１３】
なお、外光の判定方法は上記方法に限らない。例えば、２つの外光の輝度が互いに等しい場合に２つの外光が互いに等しいと判定され、それ以外の場合に２つの外光が互いに異なると判定されてもよい。２つの外光の色が互いに等しい場合に２つの外光が互いに等しいと判定され、それ以外の場合に２つの外光が互いに異なると判定されてもよい。２つの外光の種類が互いに等しい場合に２つの外光が互いに等しいと判定され、それ以外の場合に２つの外光が互いに異なると判定されてもよい。
【０１１４】
外光の判定に複数種類のパラメータが使用されてもよい。例えば、外光の輝度、色、ＸＹＺ三刺激値、及び、種類のうちの２つ以上が使用されてもよい。具体的には、２つの外光間で輝度と色が互いに等しい場合に２つの外光が互いに等しいと判定され、それ以外の場合に２つの外光が互いに異なると判定されてもよい。
【０１１５】
２つの外光の間の差（輝度の差、色の差、ＸＹＺ三刺激値の差、等）が閾値以下である場合に２つの外光が互いに等しいと判定され、それ以外の場合に２つの外光が互いに異なると判定されてもよい。閾値は、メーカ等によって予め定められた固定値であってもよいし、そうでなくてもよい。例えば、第１閾値は、ユーザが変更可能な値であってもよいし、使用表示装置の使用環境などに応じて自動で決定及び変更される値であってもよい。
【０１１６】
図１４のＳ１０４の処理は、図２のＳ１０４の処理と同じである。
Ｓ１５３では、制御部１０２は、対応プロファイルデータの設定を要求するプロファイル設定要求の出力、及び、対応プロファイルデータの補正を要求するプロファイル補正要求の出力を、通信部１０１に指示する。それにより、プロファイル設定要求とプロファイル補正要求が、通信部１０１から画像再生装置５００に出力される。プロファイル補正要求は、例えば、使用表示装置の現在の外光と、対応プロファイルデータに対応付けられている外光と、を示す情報である。本実施例では、プロファイル補正要求は、使用表示装置の現在の外光のＸＹＺ三刺激値と、対応プロファイルデータに対応付けられている外光のＸＹＺ三刺激値と、を示す。そして、本実施例では、画像再生装置５００は、プロファイル設定要求とプロファイル補正要求を受信すると、対応プロファイルデータを補正することにより補正プロファイルデータを生成し、補正プロファイルデータを使用表示装置に設定する。そのため、プロファイル設定要求の出力と、プロファイル補正要求の出力と、を通信部１０１に指示する処理は、「補正プロファイルデータを使用表示装置に設定する処理」と言うこともできる。
【０１１７】
なお、プロファイル補正要求の内容は特に限定されない。例えば、対応プロファイルデータを補正する補正パラメータが生成され、生成された補正パラメータが、プロファイル補正要求として出力されてもよい。補正パラメータとしては、例えば、対応プロファイルデータに対応付けられている外光の値を使用表示装置に対する現在の外光の値に変換する変換パラメータを使用することができる。
なお、本実施例では、画像再生装置５００によって対応プロファイルデータが補正されるが、これに限らない。例えば、情報処理装置１００によって対応プロファイルデータが補正されてもよい。
【０１１８】
（画像再生装置の処理）
本実施例に係る画像再生装置５００のプロファイル設定部２０３の処理について、図１５を用いて説明する。図１５は、本実施例に係るプロファイル設定部２０３の処理の流れの一例を示すフローチャートである。
【０１１９】
まず、プロファイル設定部２０３は、情報処理装置１００から通信部２０４を介して、プロファイル設定要求、または、プロファイル設定要求とプロファイル補正要求を受信する（Ｓ２１１）。
そして、Ｓ２０２の処理が行われる。図１５のＳ２０２の処理は、図３のＳ２０２の処理と同じである。
【０１２０】
次に、プロファイル設定部２０３は、Ｓ２１１でプロファイル補正要求が受信されたか否かを判定する（Ｓ２１２）。プロファイル補正要求が受信された場合にはＳ２１３に処理が進められ、プロファイル補正要求が受信されなかった場合にはＳ２１４に処理が進められる。
【０１２１】
Ｓ２１３では、プロファイル設定部２０３は、対応プロファイルデータを補正することにより、補正プロファイルデータを生成する。例えば、対応プロファイルデータに対応付けられている外光の値を使用表示装置に対する現在の外光の値に変換する変換パラメータを用いて、対応プロファイルデータの値が、補正プロファイルデータの値に変換される。それにより、補正プロファイルデータが生成される。本実施例では、Ｂｒａｄｆｏｒｄ変換により、対応プロファイルデータの値（出力値）が、補正プロファイルデータの値（出力値）に変換される。Ｂｒａｄｆｏｒｄ変換では、対応プロファイルデータに対応付けられている外光のＸＹＺ三刺激値を使用表示装置に対する現在の外光のＸＹＺ三刺激値に変換する変換行列が算出される。そして、算出された変換行列を用いて、対応プロファイルデータの出力値が、補正プロファイルデータの出力値に変換される。具体的には、対応プ
ロファイルデータの出力値がＲＧＢ値からＸＹＺ三刺激値（第１ＸＹＺ三刺激値）に変換され、変換行列を用いて第１ＸＹＺ三刺激値が第２ＸＹＺ三刺激値に変換される。そして、第２ＸＹＺ三刺激値をＲＧＢ値に変換することにより、補正プロファイルデータの出力値が得られる。
補正プロファイルデータが生成された後、Ｓ２１４に処理が進められる。
【０１２２】
Ｓ２１４では、プロファイル設定部２０３は、プロファイルデータを使用表示装置（画像表示装置３００）に設定する。Ｓ２１１でプロファイル補正要求が受信されなかった場合には、実施例１と同様に、対応プロファイルデータが設定される。Ｓ２１１でプロファイル補正要求が受信された場合には、Ｓ２１３で生成された補正プロファイルデータが設定される。
【０１２３】
以上述べたように、本実施例によれば、対応プロファイルデータの生成時に考慮された外光と、使用表示装置に対する現在の外光と、の差に基づいて、必要に応じて対応プロファイルデータが補正される。それにより、より適切な対応プロファイルデータを画像表示装置に設定することができる。例えば、プロファイル生成時から外光が変化した場合にも、適切な対応プロファイルデータを画像表示装置に設定することができる。
【０１２４】
なお、上述した実施例１〜６はあくまで一例であり、本発明は実施例１〜６に限定されるものではない。実施例１〜６の構成を適宜組み合わせた構成も、本発明に含まれる。例えば、プロファイルデータの生成日時と、画像表示装置の校正日時と、の両方が考慮されてもよい。具体的には、以下の条件１，２の少なくとも一方を満たす場合に対応プロファイルデータを使用表示装置に設定する処理が省略され、条件１，２の両方を満たさない場合に対応プロファイルデータを使用表示装置に設定する処理が行われてもよい。以下の条件１，２の両方を満たす場合に対応プロファイルデータを使用表示装置に設定する処理が省略され、条件１，２の少なくとも一方を満たさない場合に対応プロファイルデータを使用表示装置に設定する処理が行われてもよい。生成日時と比較する閾値は、校正日時と比較する閾値と同じであってもよいし、異なっていてもよい。他のパラメータ（プロファイルデータの設定日時、プロファイルデータの優先度、等）を考慮する場合にも、同様の変形が可能である。
・条件１：対応プロファイルデータに対応付けられている生成日時から現在時刻までの時間が閾値よりも長い
・条件２：対応プロファイルデータに対応付けられている校正日時から現在時刻までの時間が閾値よりも長い
【０１２５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２６】
１００：情報処理装置  １０１：通信部  １０２：制御部
【図１】
2016139084.tif 000003
【図２】
2016139084.tif 000004
【図３】
2016139084.tif 000005
【図４】
2016139084.tif 000006
【図５】
2016139084.tif 000007
【図６】
2016139084.tif 000008
【図７】
2016139084.tif 000009
【図８】
2016139084.tif 000010
【図９】
2016139084.tif 000011
【図１０】
2016139084.tif 000012
【図１１】
2016139084.tif 000013
【図１２】
2016139084.tif 000014
【図１３】
2016139084.tif 000015
【図１４】
2016139084.tif 000016
【図１５】
2016139084.tif 000017
【図１６】
2016139084.tif 000018
【図１７】
2016139084.tif 000019